(57)【要約】【課題】吸湿や放湿等によって床材が伸縮し、実結合部の隙間が不同となった場合でも直線性を保ち、視覚的に目隙きを目立たなくした化粧溝を有する床の実結合構造を提供する。【解決手段】実結合により結合してなる床材において、雌実下片２を雌実上片１より前方に突出せしめ、該突出片２１上面に釘固定用凹部２１１を設けるとともに、雌実上片１の端縁を斜め前下方に傾斜させ雌実傾斜面１１を形成して雌実部とし、一方雄実基部３より斜め上方に雄実傾斜面３１を設けて雄実部４とし、雌実下片２の上記釘固定用凹部２１１より釘打ち固定された雌実Ａに雄実Ｂを嵌合し、雄実Ｂ上面と雌実傾斜面１１と雄実傾斜面３１とからなる逆台形の結合溝６が形成されてなる床実結合構造。【選択図】図１
2012001878.tif 000002
【特許請求の範囲】
【請求項１】
実結合により結合してなる床材において、雌実下片を雌実上片より前方に突出せしめ、該突出片上面に釘固定用凹部を設けるとともに、雌実上片の端縁を斜め前下方に傾斜させ雌実傾斜面を形成して雌実部とし、一方雄実基部より斜め上方に雄実傾斜面を設けて雄実部とし、雌実下片の上記釘固定用凹部より釘打ち固定された雌実に雄実を嵌合し、雄実上面と雌実傾斜面と雄実傾斜面とからなる逆台形の結合溝が形成されてなる床実結合構造。
【発明の詳細な説明】
【技術分野】
【０００１】
本願発明は実結合構造に関し、さらに詳しくは、フローリング用床材の側端部に設けられる実結合の構造に関するものである。
【背景技術】
【０００２】
建築用床材、とくに木質系材料からなる床材は加工がし易く、また通気性、透湿性に優れ、調湿機能を有する等の有利性から、種々の建築材料、特に、フローリング材の分野で使用されることが多い。上記木質系材料としては、近年、無垢の木材の入手が困難となってきていることから、合板、集成材、中密度繊維板（ＭＤＦ）、パーティクルボード等、種々の木質基材に突き板を貼着したり、木目模様の化粧紙を接着する等、表面化粧したものが広く床材として使用されている。
【０００３】
上記した木質系材料のうち厚手の化粧合板を床材として用いる場合、通常、複数枚の床材の、おのおの長手方向の左右側端部に設けられた実結合部どうしをしっかりと実結合させ、隣接する床板どうしを隙間なく敷き詰めて床の施工をする。
【０００４】
図３（ａ）は上記公知の実結合構造を示す一部断面説明図である。図３（ａ）に示すように、上記実結合構造においては、雌実Ｃは雌実上片８１と雌実下片８２とからなるとともに、雌実上片８１の上部はその端縁を斜め前下方に傾斜する雌実傾斜面８１１とされている。
【０００５】
また、雄実Ｄの基部９１の上部は雌実上片８１と同様にその端縁を斜め前下方に傾斜する雄実傾斜面９１１とされ、雌実Ｃに雄実Ｄの雄実部９２を嵌合することにより、両者はＶ字形の結合溝７を形成してしっかりと実結合をする。このようにして実結合により複数枚の化粧合板を敷設したとき、吸湿や放湿あるいは寒暖による温度差等の要因によって床材が収縮して実結合部に隙間が生じることがある。
【０００６】
図３（ｂ）は、上記隙間が発生した状態を示す一部断面説明図である。図３（ｂ）に示すように、上記隙間は目隙きｄとして現れ、施工後に目隙きｄが所々に現れると、結合溝に不同部分が目立ち、フローリングの意匠性が損なわれるという問題が生じる。
【０００７】
一方、特開２００２−３３９５５７号公報には、木質系基材の一方の面に少なくとも一条の溝部を設け、該一条の溝部を設けた前記一方の面に化粧シートを貼着した床材において、前記化粧シートが前記溝部の前記一方の面の角部を被覆するように貼着され、かつ、前記化粧シートで被覆されない前記溝部に塗工層が形成されていることを特徴とする床材及びその製造方法が開示されている。
【０００８】
そして、上記床材は化粧溝を構成する溝部に靴下やストッキング等の繊維が引っ掛かり伝線などが生じることなく、また、奥行感のある意匠性に優れた溝部を有する床材が提供できる、とその効果が記載されている。
【先行技術文献】
【特許文献】
【０００９】
【特許文献１】特開２００２−３３９５５７号公報
【発明の概要】
【発明が解決しようとする課題】
【００１０】
本願発明は、上記背景技術に鑑みてなしたものであり、その目的は、化粧合板等の床材を床下地に敷設してフローリングを行う場合、吸湿や放湿あるいは寒暖による温度差等の要因によって床材が伸縮し、実結合部の結合溝に目隙きが生じることを防ぎ、たとえ、目隙が生じた場合でも、目隙きを目立たなくして視覚的に直線性を保つことにより意匠性に優れた結合溝を有する床実結合構造を提供することである。
【課題を解決するための手段】
【００１１】
上記課題を解決するために、本願請求項１に記載の発明に係る床実結合構造は、実結合により結合してなる床材において、雌実下片を雌実より前方に突出せしめ、該突出片上面に釘固定用凹部を設けるとともに、雌実上片の端縁を斜め前下方に傾斜させ雌実傾斜面を形成して雌実部とし、一方雄実基部より斜め上方に雄実傾斜面を設けて雄実部とし、雌実下片の上記釘固定用凹部より釘打ち固定された雌実に雄実を嵌合し、雄実上面と雌実傾斜面と雄実傾斜面とからなる逆台形の結合溝が形成されてなることを特徴としている。
【００１２】
上記床材としては、合板、集成材、中密度繊維板（ＭＤＦ）、パーティクルボード等、種々の木質基材に突き板を貼着したり、木目模様の化粧紙を接着する等、表面化粧して洋間のフローリングに適するようにデザインされたものが好ましく用いられる。
【発明の効果】
【００１３】
本願請求項１記載の発明に係る床実結合構造においては、雌実下片を前方に突出させ、この突出片上面に釘固定用凹部を設けているため、釘は釘固定用凹部内に納められ、釘頭が目立つことなく施工できる。また釘打ち角度も従来の指定された釘打ち角度にこだわることなく任意であり、作業性よく床材を床下地に固定することができる。
【００１４】
また、雌実上片の端縁に雌実傾斜面を形成する一方、雄実基部に雄実傾斜面を設け、釘打ち固定された雌実に雄実を嵌合したとき、上記雌実傾斜面と雄実傾斜面および雄実上面とからなる逆台形の結合溝が形成されるため、床材が伸縮して実結合部の隙間が不同となって目隙きが生じた場合でも、視覚的には結合溝の底面の幅の違いは外観上隙間と認識されないものとなる。このように、逆台形の結合溝を形成することにより隙間が生じても目隙と認識されず、外観的に問題のない意匠性に優れた結合溝を有するフローリング仕上げをすることができる。
【図面の簡単な説明】
【００１５】
【図１】（ａ）は本願発明に係る床実結合構造を用いて結合した例を示す一部断面説明図、（ｂ）は自由端である雄実が床材の収縮に伴って収縮した状態を示す一部断面説明図。
【図２】（ａ）は雌実の最奥部に余裕空間を設けて雄実部の先端面を差し込み嵌合した本願発明に係る床実結合構造を用いて結合した例を示す一部断面説明図、（ｂ）は雄実が床材の収縮に伴って収縮した状態を示す一部断面説明図。
【図３】（ａ）は公知の実結合構造を示す一部断面説明図、（ｂ）は公知の実結合構造において床材の収縮に伴って隙間が発生した状態を示す一部断面説明図。
【発明を実施するための形態】
【００１６】
以下、本願発明に係る床実結合構造の実施形態について図面を参照して詳細に説明する。本実施形態においては、床材として合板に突き板を貼着して木目模様に表面化粧したフローリング材を用いた場合について説明する。
【００１７】
図１（ａ）は、隣接する２枚の床材の側端に設けられた雌実Ａと雄実Ｂとを本願発明に係る床実結合構造を用いて結合した例を示す一部断面説明図である。図１（ａ）に示すように、上記雌実Ａは雌実上片１の端縁を斜め前下方に傾斜させて雌実傾斜面１１を設けるとともに、雌実下片２を雌実上片１より前方に突出せしめ、該突出片２１の上面には釘固定用凹部２１１を形成し、上記雌実上片１と雌実下片２とによって雌実部が形成される。上記雌実傾斜面１１の傾斜角度αは約４５°とされる。
【００１８】
上記のように構成された雌実Ａは、釘固定用凹部２１１に釘５を打ち込むことによって床下地Ｇにしっかりと固定される。ここで、釘５の頭は釘固定用凹部２１１内に納められているため施工時に釘５が目立つことなく、また釘打ち角度も従来の指定された釘打ち角度によることなく任意であり、作業性よく床材を床下地Ｇに固定することができる。
【００１９】
一方、雄実Ｂは、雄実基部３と雄実部４とからなるとともに、雄実基部３から斜め上方に雄実傾斜面３１が設けられ、この雄実傾斜面３１の傾斜角度は上記雌実傾斜面１１と同じく約４５°とされる。図１（ａ）においては、上記したように釘５で床下地Ｇに固定された雌実Ａの最奥部まで雄実部４の先端面を差し込み当接して嵌合されているため、隣接する床板どうしはしっかりと結合する。
【００２０】
ここで、図１（ａ）に示されるように、雌実傾斜面１１と雄実部４の上面の一部と雄実傾斜面３１とからなる断面が略逆台形である結合溝６が形成され、この結合溝６の底面の幅ｄ１は長手方向に略同一で直線性を保ち化粧溝として機能する。
【００２１】
図１（ｂ）は、自由端である雄実Ｂの雄実部４が収縮した状態を示す一部断面説明図である。例えば、湿度の高い夏季に施工し、乾燥した冬季になると床材中の水分が蒸発して床材は収縮する。そのとき、図１（ａ）に示した雄実部４の先端面と雌実Ａの最奥部との間には上記収縮により空間Ｓが生じる。そして、該収縮により上記結合溝６の底面の幅ｄ１は広がってｄ２となるが視覚的には隙間と認識されず、結合溝６は直線性を保ち、外観上ｄ１とｄ２は略同様に認識される。また、他の結合溝６の底面の幅がｄ２ではなく、不同であっても視覚的にはその差は認識されず外観的には結合溝６が直線性を保って化粧溝としての役割を果たし、見掛け上問題なくフローリング仕上げをすることができる。
【００２２】
図２（ａ）は、釘５で床下地Ｇに固定された雌実Ａの最奥部までではなく余裕空間ｔを設けて雄実部４の先端面を差し込み嵌合した状態を示す一部断面説明図である。この場合、例えば乾燥した冬季に施工した場合、湿度の高い夏季に床板が吸湿して伸長し、自由端である雄実部４が伸長しても伸長部分は上記空間ｔに納められ、底面の幅ｄ１は一定に保たれる。
【００２３】
図２（ｂ）は自由端である雄実Ｂの雄実部４が収縮した状態を示す一部断面説明図である。例えば、湿度の高い夏季に施工し、冬季の乾燥期で床材の収縮が激しいときは、図１（ｂ）に示す場合と同様に、空間Ｓが生じるとともに、底面の幅ｄ１は広がってｄ２となる。しかし、結合溝６は幅ｄ２で直線性を保つとともに、視覚的にはｄ１とｄ２との差は隙間として見えず、結合溝６は略同間隔で設けられているように見える。
【００２４】
このようにして、隣接する床板どうしはしっかりと結合され、施工後に吸湿や放湿あるいは寒暖による温度差等の要因によって床材が伸縮し、実結合部の隙間が不同となったときでも、化粧溝としての役割を持つ結合溝６は視覚的に直線性を保つため、意匠性よくフローリングの施工をできる。
【００２５】
以上述べたように、本願発明の床実結合構造を実施することにより、従来の指定された釘打ち角度によることなく任意の釘打ち角度で、また釘頭が見えることなく床材を床下地Ｇに固定することができる。かくして隣接する床板どうしを作業性よくしっかりと結合できるとともに、意匠性に優れたフローリング仕上げをすることができる。
【００２６】
なお、上記実施形態は床材として合板に突き板を貼着して木目模様に表面化粧したフローリング材を用いた場合について述べたが、合板のみならず、集成材、中密度繊維板（ＭＤＦ）、パーティクルボード等、種々の木質基材に突き板を貼着したものを用いてもよい。また、雌実傾斜面１１の傾斜角度αは約４５°とされているが、４５°に限られず適宜設計変更してもよい。このように本願発明に係る床実結合構造は設計変更自在であり、特許請求の範囲を逸脱しない限り、いずれの場合も本願発明の技術的範囲に属する。
【符号の説明】
【００２７】
Ａ      雌実
Ｂ      雄実
Ｃ      公知技術における雌実
Ｄ      公知技術における雄実
Ｇ      床下地
Ｓ      床材の収縮により雌実部と雄実部の先端面と間に生じた空間
ｔ      雌実部と雄実部の先端面と間の余裕空間
ｄ      公知技術における目隙き
ｄ１    結合溝の底面の幅
ｄ２    床材の収縮により広がった結合溝の底面の幅
α      傾斜角度
１      雌実上片
１１    雌実傾斜面
２      雌実下片
２１    突出片
２１１  釘固定用凹部
３      雄実基部
３１    雄実傾斜面
４      雄実部
５      釘
６      結合溝
７      公知技術における化粧溝
８１    公知技術における雌実上片
８１１  公知技術における雌実傾斜面
８２    公知技術における雌実下片
９１    公知技術における雄実基部
９１１  公知技術における雄実傾斜面
９２    公知技術における雄実部
【図１】
2012001878.tif 000003
【図２】
2012001878.tif 000004
【図３】
2012001878.tif 000005